(57)【要約】【課題】ノーマルレジスト構造のランドを有するプリント基板において、ランド上へのはんだ塗布量のばらつきを抑制しつつ、はんだの接続信頼性を向上すること。【解決手段】ノーマルレジスト構造のランドを有するプリント基板であって、絶縁基材の一面上に形成されたランドの側面と、ランドを外部に露出させる開口部を有して絶縁基材の一面上に形成されたソルダーレジストの開口部側壁面との対向領域に、ランドの側面及び開口部の側壁面に接しつつ絶縁基材の一面から所定の高さを有する固形状の充填部材を設けた。この充填部材は、はんだ付け時のリフローによって溶融され、且つ、ランドの表面に対する濡れ性が、はんだ付け時にランドの上面に配置されるはんだの溶融状態よりも低い樹脂材料を用いて形成される。【選択図】図３
2013055208.tif 000002
【特許請求の範囲】
【請求項１】
絶縁基材と、
前記絶縁基材の一面上に形成されたランドと、
前記ランドを外部に露出させる開口部を有して前記絶縁基材の一面上に形成され、前記ランドの側面と前記開口部の側壁面との間に所定の間隔を有するソルダーレジストと、を備え、
スクリーン印刷により、前記ランドにおける絶縁基材と反対の上面に、ペースト状のはんだが配置され、このはんだをリフローすることで、前記ランドが電子部品の対応する端子と電気的に接続されるプリント基板であって、
前記ソルダーレジストに形成された開口部において、前記ランドの側面と前記開口部の側壁面との対向領域には、前記ランドの側面及び前記開口部の側壁面に接しつつ前記絶縁基材の一面から所定の高さを有して固形状の充填部材が配置されており、
前記充填部材は、リフローによって溶融することで、前記ランドの側面全域にはんだのサイドフィレットを形成できる材料を用いて形成されていることを特徴とするプリント基板。
【請求項２】
前記充填部材は、前記ランドの表面に対する濡れ性が、前記ランドの上面に配置されるはんだの溶融状態よりも低い樹脂材料を用いて形成されていることを特徴とする請求項１に記載のプリント基板。
【請求項３】
前記充填部材は、前記ランドの表面の酸化膜と、前記ペースト状のはんだに含まれるはんだ粉末表面の酸化膜とを除去する清浄作用を有する樹脂材料を用いて形成されていることを特徴とする請求項２に記載のプリント基板。
【請求項４】
前記充填部材は、前記ペースト状のはんだに含まれるフラックスの樹脂と同一の樹脂を用いて形成されていることを特徴とする請求項２又は請求項３に記載のプリント基板。
【請求項５】
前記充填部材は、前記ランドの上面と同じ高さを有して、前記開口部の対向領域に配置されていることを特徴とする請求項２〜４いずれか１項に記載のプリント基板。
【請求項６】
前記充填部材は、はんだペーストを乾燥させたものであることを特徴とする請求項１に記載のプリント基板。
【請求項７】
前記充填部材は、前記ランドの上面と同じ高さを有して、前記開口部の対向領域に配置されていることを特徴とする請求項６に記載のプリント基板。
【請求項８】
前記ランドは、ベアチップ用又はチップサイズパッケージ用のランドであることを特徴とする請求項１〜７いずれか１項に記載のプリント基板。
【発明の詳細な説明】
【技術分野】
【０００１】
本発明は、ノーマルレジスト構造のランドを有するプリント基板に関し、特にベアチップやＢＧＡなどのチップサイズパッケージといった、端子ピッチの微細な電子部品が実装されるプリント基板に関するものである。
【背景技術】
【０００２】
従来、ノーマルレジスト構造のランドを有するプリント基板が知られている。このプリント基板は、絶縁基材と、絶縁基材の一面上に形成されたランドと、ランドを外部に露出させる開口部を有して絶縁基材の一面上に形成され、ランドの側面と開口部の側壁面との間に所定の間隔を有するソルダーレジストと、を備えている。このようなプリント基板では、スクリーン印刷により、ランドにおける絶縁基材と反対の上面にペースト状のはんだを配置し、このはんだをリフローすることで、ランドが電子部品の対応する端子と電気的に接続される。
【０００３】
近年、大電流化や放熱性向上のために、ランドの厚さが厚く（例えば５０μｍ以上）なってきている。ノーマルレジスト構造のランドでは、ランドの厚さが厚いと、スクリーン印刷時に、ランド側面とレジスト開口部の側壁面との対向領域において絶縁基材の一面まではんだが届かず、はんだとプリント基板との接触面積が小さいため、はんだ塗布量がばらつくという問題がある。
【０００４】
一方、特許文献１には、ランドの周辺に、該ランドに密接して形成された光硬化性樹脂絶縁層を有するプリント基板が示されている。
【先行技術文献】
【特許文献】
【０００５】
【特許文献１】特開平９−１８６４４０号公報
【発明の概要】
【発明が解決しようとする課題】
【０００６】
ノーマルレジスト構造のランドを有するプリント基板に、上記した特許文献１に記載の光硬化性樹脂絶縁層を用いると、ランド側面とレジスト開口部の側壁面との対向領域を、光硬化性樹脂絶縁層にて少なからず埋めることができる。このように、レジスト開口部の対向領域（隙間）を光硬化性樹脂絶縁層にて埋めると、スクリーン印刷時に、光硬化性樹脂絶縁層の表面にペースト状のはんだが接触し、これにより光硬化性樹脂絶縁層を含むプリント基板とはんだとの接触面積を増大して、はんだ塗布量のばらつきを抑制することができる。
【０００７】
しかしながら、特許文献１では、光硬化性樹脂絶縁層が、絶縁基材の一面から所定の高さを有しつつ、ランドに密接してランド周辺に形成されている。なお、所定高さとは、ランドの厚さの約１／３以上であって、ランドの厚さを超えない範囲（すなわちランドの高さ以下）である。このため、はんだをリフローする際に、ランドの側面のうち、光硬化性樹脂絶縁層の接する部分には、溶融したはんだが接触することができず、ランドの側面に形成されるはんだのサイドフィレットと、ランドの側面との接続面積が小さい。なお、高さによっては、ランド側面に溶融したはんだが接触することができず、サイドフィレットが全く形成されない。このように、特許文献１の構成では、はんだとランドとの接続面積が小さく、はんだの接続信頼性（はんだ寿命）が低いものとなる。
【０００８】
本発明は上記問題点に鑑み、ノーマルレジスト構造のランドを有するプリント基板において、ランド上へのはんだ塗布量のばらつきを抑制しつつ、はんだの接続信頼性を向上することを目的とする。
【課題を解決するための手段】
【０００９】
上記目的を達成するために請求項１に記載の発明は、
絶縁基材と、
絶縁基材の一面上に形成されたランドと、
ランドを外部に露出させる開口部を有して絶縁基材の一面上に形成され、ランドの側面と開口部の側壁面との間に所定の間隔を有するソルダーレジストと、を備え、
スクリーン印刷により、ランドにおける絶縁基材と反対の上面に、ペースト状のはんだが配置され、このはんだをリフローすることで、ランドが電子部品の対応する端子と電気的に接続されるプリント基板であって、
ソルダーレジストに形成された開口部において、ランドの側面と開口部の側壁面との対向領域には、ランドの側面及び開口部の側壁面に接しつつ絶縁基材の一面から所定の高さを有して固形状の充填部材が配置されており、
充填部材は、リフローによって溶融することで、ランドの側面全域にはんだのサイドフィレットを形成できる材料を用いて形成されていることを特徴とする。
【００１０】
本発明では、ノーマルレジスト構造のランドを有するプリント基板が、レジスト開口部の対向領域（隙間）に、固形状の充填部材を有している。このため、スクリーン印刷により、ペースト状のはんだを、ランドを含むプリント基板上に塗布する際に、ペースト状のはんだとプリント基板との接触面積を、レジスト開口部の対向領域に充填部材を有さない構成に較べて、大きくすることができる。これにより、ペースト状のはんだの塗布量ばらつきを抑制することができる。
【００１１】
また、充填部材は、リフローによって溶融することで、ランドの側面全域にはんだのサイドフィレットを形成できる材料を用いて形成されている。したがって、リフローによって溶融しない充填部材（光硬化性樹脂絶縁層）をランドの側面に隣接させる従来の構成に較べて、はんだとランドとの接続面積を大きくすることができる。これにより、はんだの接続信頼性（はんだ寿命）を向上することができる。
【００１２】
請求項２に記載のように、
充填部材は、ランドの表面に対する濡れ性が、ランドの上面に配置されるはんだの溶融状態よりも低い樹脂材料を用いて形成されることが好ましい。
【００１３】
本発明によれば、リフロー時に、充填部材が溶融して（液状となって）流動可能となる。そして、ランドの表面に対する濡れ性は、充填部材よりもはんだのほうが優れるため、溶融状態の充填部材はランドの側面から遠ざかるほうに流動し、ランドの側面全域に溶融状態のはんだを接触させることができる。これにより、ランドの側面全域に、はんだのサイドフィレットを形成することができる。
【００１４】
請求項３に記載のように、
充填部材は、ランドの表面の酸化膜と、ペースト状のはんだに含まれるはんだ粉末表面の酸化膜とを除去する清浄作用を有する樹脂材料を用いて形成されると良い。
【００１５】
本発明によれば、充填部材の清浄作用により、ランド表面を、溶融状態のはんだが濡れ広がりやすくなる。このように、はんだの濡れ性を、充填部材にて補助する構成とすると、清浄作用を有さない充填部材を用いる構成に較べて、ランドの側面全域に、はんだのサイドフィレットを形成しやすくすることができる。
【００１６】
請求項４に記載のように、
充填部材は、ペースト状のはんだに含まれるフラックスの樹脂と同一の樹脂を用いて形成されると良い。
【００１７】
リフロー時には、ペースト状のはんだを構成するフラックス成分の樹脂もリフローによって溶融状態となり、ランドの側面から遠ざかるほうに流動する。そして、はんだ（はんだ粉末を構成する金属の焼結体）の周辺に位置し、リフローが終了した時点で、フラックス残渣を形成する。上記発明では、充填部材を構成する樹脂も、リフロー時に溶融し、ランドの側面から遠ざかるほうに流動する。そして、フラックス成分の樹脂と混じり、該樹脂とともにフラックス残渣を形成する。
【００１８】
本発明のように、充填部材を構成する樹脂と、ペースト状のはんだを構成するフラックス成分の樹脂を同一とすると、フラックス残渣の特性を所望の特性としやすいという利点がある。例えば、フラックス残渣の割れを抑制すべく、フラックス残渣に柔軟性を持たせるために、ペースト状のはんだを構成するフラックス成分の樹脂を、例えばロジン樹脂と、該ロジン樹脂よりも軟らかいアクリル系樹脂と、を所定の比率で混合してなるものとする。充填部材を構成する樹脂を、ペースト状のはんだを構成するフラックス成分の樹脂と同一とすると、充填部材の充填量がばらついても、フラックス残渣中の混合樹脂の比率は充填部材の充填量によって変化せず、一定である。したがって、フラックス残渣の特性を所望の特性としやすい。
【００１９】
請求項５に記載のように、
充填部材は、ランドの上面と同じ高さを有して、開口部の対向領域に配置されると良い。
【００２０】
本発明によれば、充填部材とランド上面がほぼ面一となるため、ペースト状のはんだの塗布量ばらつきを、効果的に抑制することができる。また、充填部材がランド上面よりも高く、充填部材にスクリーンが支持されると、周辺に充填部材が配置されたランドの近傍に位置する、周辺に充填部材が配置されないランドに対して、にじみ等の印刷不良が生じる虞がある。本発明によれば、この印刷不良の発生を抑制することもできる。
【００２１】
請求項６に記載のように、
はんだペーストを乾燥させたものを充填部材としても良い。
【００２２】
本発明によれば、レジスト開口部の対向領域（隙間）に、固形状の充填部材として、はんだペーストを乾燥させたものを設ける。このため、リフロー実装すべく、スクリーン印刷により、ペースト状のはんだを、ランドを含むプリント基板上に塗布する際に、ペースト状のはんだとプリント基板との接触面積を、レジスト開口部の対向領域に充填部材を有さない構成に較べて、大きくすることができる。これにより、ペースト状のはんだの塗布量ばらつきを抑制することができる。
【００２３】
また、乾燥させたはんだペースト（充填部材）中のはんだ粉末は、リフローによって溶融し、ランドの側面を濡れ広がる。これにより、ランドの側面全域にはんだのサイドフィレットを形成することができる。本発明によれば、印刷により供給される、ペースト状のはんだとは別に、レジスト開口部の対向領域に、充填部材として、はんだペーストを乾燥させたものを配置しておくため、印刷時に仮にはんだ塗布量が不足したとしても、ランドの側面全域に、はんだのサイドフィレットを形成することができる。なお、はんだペーストを乾燥させたものとは、はんだ粉末と少なくとも溶剤とを混練してなるはんだペーストのうち、溶剤を少なからず気化させて、充填部材における絶縁基材の一面と反対の上面を、乾燥状態としたものを指す。
【００２４】
請求項７に記載の発明の作用効果は、請求項５に記載の発明の作用効果と同じであるので、その記載を省略する。
【００２５】
上記した発明は、請求項８に記載のように、
ランドとして、ベアチップ用又はチップサイズパッケージ用のランドを有するプリント基板に好適である。
【００２６】
このようなランドは、端子ピッチの微細な電子部品が実装されるランドであり、このランドに対応するスクリーン開口部のアスペクト比（開口面積に対する開口側壁面積）は、他のランドに対応するスクリーン開口部のアスペクト比に較べて大きくなる。このため、特に塗布量のばらつきが大きい傾向があるが、上記発明によれば、充填部材の効果により、ペースト状のはんだの塗布量ばらつきを抑制することができる。
【図面の簡単な説明】
【００２７】
【図１】第１実施形態に係るプリント基板の平面図である。
【図２】図１において、破線で囲まれた領域ＩＩを拡大した平面図であり、便宜上、第１ランドと充填部材にハッチングを施している。
【図３】図２のＩＩＩ−ＩＩＩ線に沿う断面図である。
【図４】プリント基板の製造方法を示す断面図であり、（ａ）は、ノーマルレジスト構造の第１ランドを形成する工程、（ｂ）は、樹脂ペーストを塗布する工程、（ｃ）は、樹脂ペーストを乾燥させて充填部材とする工程を示す。
【図５】プリント基板に電子部品をリフローはんだ付けする工程を示す断面図であり、（ａ）は、はんだペーストを印刷した状態、（ｂ）は、リフローはんだ付けが完了した状態を示す。
【図６】比較例としてプリント基板が充填部材を有さない場合の、はんだペースト印刷の課題を説明するための断面図であり、（ａ）は、メタルマスクの開口部にはんだペーストを充填した状態を示し、（ｂ）は、プリント基板からメタルマスクを版離れさせた状態を示す。
【図７】比較例として第１ランドの側面にリフローによって溶融しない部材が接触配置された場合の、リフローはんだ付けの課題を説明するための断面図である。
【図８】充填部材の配置の変形例を示す平面図である。この平面図は、図２に対応している。図２同様、便宜上、第１ランド、配線、及び充填部材にハッチングを施している。
【図９】充填部材の配置面を２ｎｄリフロー面とする場合の課題を説明するための断面図であり、（ａ）は、１ｓｔリフロー面に電子部品をリフローはんだ付けする工程を示し、（ｂ）は、リフローはんだ付け後の状態を示す。
【図１０】第２実施形態に係るプリント基板のうち、充填部材が配置されたノーマルレジスト構造の第１ランド周辺を拡大した断面図である。この断面図は、図３に対応している。
【発明を実施するための形態】
【００２８】
以下、本発明の実施の形態を、図面を参照して説明する。なお、以下に示す各図において、共通乃至関連する要素には同一の符号を付与するものとする。また、プリント基板（絶縁基材）の厚さ方向を単に厚さ方向と示し、該厚さ方向に垂直な方向（絶縁基材の一面に沿う方向）を単に垂直方向と示す。
【００２９】
（第１実施形態）
図１〜図３に示すように、プリント基板１００は、絶縁基材１０と、少なくともノーマルレジスト構造のランドを含むランド２０と、ソルダーレジスト３０と、充填部材４０を有する。このうち、充填部材４０が本実施形態に係る特徴部分である。
【００３０】
絶縁基材１０は、プリント基板１００において、ランド２０などを保持する基材であり、電気絶縁材料である樹脂やセラミックスを主原料として形成されている。本実施形態では、熱硬化性樹脂であるエポキシ樹脂を主材として形成されており、ほぼ均一の厚さを有しつつ、垂直方向に沿う外形輪郭が図１に示すような矩形状をなしている。このように、絶縁基材１０は、平面矩形の平板状をなしている。この絶縁基材１０において、厚さ方向に垂直な表面に、ランド２０が形成されている。
【００３１】
ランド２０は、プリント基板１００において、電子部品（図５（ｂ）の電子部品１１２参照）の端子がはんだ付けされる外部接続用の電極である。このランド２０は、ノーマルレジスト構造のランドを少なくとも含んでおり、絶縁基材１０における厚さ方向に垂直な表面のうち、少なくとも一方に形成されている。なお、ノーマルレジスト構造とは、ランド２０の側面とソルダーレジスト３０の開口部３１の側壁面との間に対向領域（隙間）を有する構造である。ランド２０の構造としては、上記ノーマルレジスト構造以外に、ランド２０の上面における周縁に、ソルダーレジスト３０が乗り上げたオーバーレジスト構造がある。
【００３２】
本実施形態では、絶縁基材１０の表面のうち、一面１０ａのみにランド２０が形成されている。また、全てのランド２０がノーマルレジスト構造となっている。また、ランド２０として、後述する充填部材４０が隣接配置される第１ランド２１と、充填部材４０が隣接配置されない第２ランド２２を有している。本実施形態では、ベアチップやチップサイズパッケージ（ＣＳＰ）などの、端子ピッチが狭い電子部品に対応するランドが第１ランド２１とされ、チップ抵抗やチップコンデンサなど、ベアチップやＣＳＰに比べて端子ピッチが広い電子部品に対応するランドが第２ランド２２となっている。なお、ＣＳＰとしては、例えばＢＧＡやＱＦＮなどがある。
【００３３】
図１において、紙面向かって左側（第２ランド２２の下側）に位置する第１ランド２１は、外周から内周に向かって３列（３段）の矩形環状配置となっており、ベアチップやＢＧＡなどに対応するランドである。一方、紙面向かって右側の第１ランド２１は、例えばＱＦＮに対応するランドである。
【００３４】
これらランド２０は、配線２３同様、金属箔（例えば銅箔）をパターニングしてなる。すなわち、配線２３の端部としてランド２０が形成されている。本実施形態では、第１ランド２１の大電流対応及び放熱性向上のため、ランド２０及び配線２３を構成する金属箔として、厚さ５０μｍ程度のものを採用している。このようなランド２０は、配線２３の端部として配線２３と一体的に形成されても良いし、単独で形成されて層間接続ビア（図示略）により配線２３と接続されても良い。
【００３５】
図２及び図３に示す第１ランド２１は、図示しない層間接続ビアを介して、絶縁基材１０の内部に配置された配線２３（内層配線）と電気的に接続されている。また、図３に示すように、絶縁基材１０の一面１０ａには、ランド２０だけでなく、配線２３も形成されている。このように、本実施形態では、絶縁基材１０の一面１０ａにランド２０及び配線２３が配置されるとともに、絶縁基材１０の内部にも配線２３（図示略）が配置されており、これにより多層構造のプリント基板１００となっている。
【００３６】
ソルダーレジスト３０は、はんだの付着防止、配線２３の保護などの機能を果たすものであり、絶縁基材１０の表面のうち、ランド２０を含む配線２３の形成面に形成される。このソルダーレジスト３０は、ランド２０をはんだ付け可能に露出させるための開口部３１を有している。
【００３７】
本実施形態では、上記したように、全てのランド２０がノーマルレジスト構造となっている。したがって、全てのランド２０の側面との間に所定の間隔を有するように、開口部３１が、対応するランド２０を取り囲んで形成されている。例えば、ベアチップやＢＧＡに対応する第１ランド２１を取り囲む開口部３１は、第１ランド２１の外形輪郭に対応して平面円形状をなしている。そして、第１ランド２１の側面２１ａと開口部３１の側壁面３１ａとの間には、第１ランド２１の側面全周にわたって、ほぼ均一幅の隙間（対向領域）が形成されている。一方、図示しないが、ＱＦＮに対応する第１ランド２１を取り囲む開口部３１は、第１ランド２１の外形輪郭に対応して平面矩形状をなしている。そして、この第１ランド２１の側面２１ａと開口部３１の側壁面３１ａとの間にも、第１ランド２１の側面全周にわたって、ほぼ均一幅の隙間（対向領域）が形成されている。
【００３８】
また、ソルダーレジスト３０は、図３に示すように、絶縁基材１０の一面１０ａに形成された配線２３を被覆しない部分３２（以下、低背部３２）と、配線２３を被覆する部分３３（高背部３３）を有する。そして、高背部３３に較べて、一面１０ａからの高さが低い低背部３２の上面３２ａが、第１ランド２１の上面２１ｂとほぼ面一の位置関係、すなわち上面２１ｂとほぼ同じ高さとなっている。
【００３９】
充填部材４０は、ノーマルレジスト構造のランド２０の側面と、ソルダーレジスト３０の開口部３１の側壁面との対向領域（間隙）に配置される。この充填部材４０は、リフローによって溶融する、すなわち液体となることで、ランド２０の側面全域にはんだ１１３のサイドフィレット１１３ａ（後述する図５（ｂ）参照）を形成できる材料を用いて形成されており、プリント基板１００の状態で固形状となっている。また、ランド２０の側面及び開口部３１の側壁面に接しつつ絶縁基材１０の一面１０ａから所定の高さを有している。
【００４０】
本実施形態では、ノーマルレジスト構造のランド２０のうち、第１ランド２１のみに対応して充填部材４０が設けられている。すなわち、第２ランド２２には、充填部材４０が設けられていない。このため、第１ランド２１が、特許請求の範囲に記載のランドに相当する。図３に示すように、第１ランド２１の側面２１ａと、該ランド２１を取り囲む開口部３１の側壁面３１ａとの間に形成される対向領域には、該対向領域を埋めるように充填部材４０が配置されている。充填部材４０は、第１ランド２１の側面２１ａ、開口部３１の側壁面３１ａ、及び絶縁基材１０の一面１０ａにそれぞれ接するとともに、その上面４０ａが、第１ランド２１の上面２１ｂ及び低背部３２の上面３２ａとほぼ面一の位置関係となっている。すなわち、本実施形態では、第１ランド２１の側面２１ａと、第１ランド２１を取り囲む開口部３１の側壁面３１ａとの対向領域が、充填部材４０によりほぼ全て埋められている。
【００４１】
また、充填部材４０は、第１ランド２１の表面（側面２１ａ及び上面２１ｂ）に対する濡れ性が、電子部品１１２をリフローはんだ付けする際に第１ランド２１の上面２１ｂに配置されるはんだ１１３（はんだペースト１１１中のはんだ粉末）の溶融状態よりも低い樹脂材料を用いて形成されている。本実施形態では、充填部材４０が、はんだペースト１１１に含まれるフラックスの樹脂と同一の樹脂（例えばロジン樹脂）を用いて形成されている。このため、充填部材４０を構成する樹脂が、第１ランド２１の表面の酸化膜と、はんだペースト１１１に含まれるはんだ粉末表面の酸化膜とを除去する清浄作用も有している。
【００４２】
次に、上記したプリント基板１００の製造方法について説明する。
【００４３】
まず、ランド２０や配線２３からなる導電経路が形成された絶縁基材１０を準備する。すなわち、充填部材４０が配置されていない通常のプリント基板１００の状態まで形成する。その際、絶縁基材１０の一面１０ａに、第１ランド２１を含むランド２０及び配線２３が配置されるように、絶縁基材１０の一面１０ａに貼着された銅箔をパターニングする。
【００４４】
次いで、絶縁基材１０の一面１０ａ全面に、例えばスプレーコート法により、ソルダーレジスト３０を形成する。そして、露光、現像を経て、ソルダーレジスト３０を所定形状にパターニングする。これにより、ソルダーレジスト３０に開口部３１が形成され、開口部３１内にランド２０が位置することとなる。すなわち、ランド２０が外部に露出された状態となる。
【００４５】
次いで、開口部３１から露出されたランド２０の表面（例えば第１ランド２１の側面２１ａ及び上面２１ｂ）に、スプレーなどにより、プリフラックス（図示略）を塗布する。なお、後述するはんだペースト１１１がＰｂ入りの場合には、プリフラックスに代えて、はんだ膜（はんだレベラー）を形成しても良い。以上が図４（ａ）に示す、ノーマルレジスト構造のランド２０（第１ランド２１）を形成する工程である。
【００４６】
次いで、充填部材４０を配置する。本実施形態では、上記したように、ランド２０のうち、第１ランド２１のみに充填部材４０を配置する。具体的には、ロジン樹脂を溶剤（溶媒）にて所定粘度に調整してなる樹脂ペースト４０ｂを、第１ランド２１の側面２１ａとソルダーレジスト３０の開口部３１の側壁面３１ａとの対向領域（間隙）に、ディスペンサやスクリーン印刷法により塗布する。本実施形態では、図４（ｂ）に示すように、ディスペンサ１１０を用いて、対向領域に樹脂ペースト４０ｂを充填する。このとき、樹脂ペースト４０ｂは、絶縁基材１０の一面１０ａ側から側面２１ａ及び側壁面３１ａに接しつつ、対向領域を徐々に埋めていく。また、一面１０ａと反対の面（充填部材４０の上面４０ａに相当）は平坦となる。本実施形態では、後述する乾燥後（固形化後）の状態で、充填部材４０の上面４０ａが、第１ランド２１の上面２１ｂと略面一（ほぼ等しい高さ）となるように、樹脂ペースト４０ｂを塗布する。
【００４７】
そして、加熱などにより、樹脂ペースト４０ｂ中の溶剤を少なからず気化させることで、図４（ｃ）に示す固形状の充填部材４０を得ることができる。なお、固形状の充填部材４０とは、樹脂ペースト４０ｂ中の溶剤が少なからず気化されて、充填部材４０の少なくとも上面４０ａが乾燥し、これにより上面４０ａの皮膜強度が高まった状態を指す。もちろん、樹脂ペースト４０ｂの溶剤を完全に気化させ、充填部材４０を、樹脂のみからなる構成としても良い。
【００４８】
次に、このように構成されるプリント基板１００への電子部品１１２のリフローはんだ付けについて説明しつつ、充填部材４０を設けたことによる効果を説明する。
【００４９】
なお、リフローはんだ付けについては、絶縁基材１０の一面１０ａにおいて、第１ランド２１だけでなく第２ランド２２についても実施されるが、以下においては、充填部材４０の効果を説明するため、第１ランド２１についてのみ言及する。
【００５０】
絶縁基材１０の一面１０ａ上に、電子部品１１２をリフローはんだ付けするに際し、先ずスクリーン印刷法により、図５（ａ）に示すように、第１ランド２１の上面２１ｂ上に、はんだペースト１１１を塗布する。このはんだペースト１１１は、特許請求の範囲に記載のペースト状のはんだに相当する。はんだペースト１１１は、はんだ粉末と、フラックスとを混練してなる。はんだ粉末としては、Ｐｂ入り、Ｐｂフリーのいずれも採用することができる。フラックスは、ロジン樹脂やアクリル系樹脂などのベース樹脂に、活性剤などの各種添加剤を加え、溶剤（溶媒）にて所定粘度に調整してなるものである。本実施形態では、はんだペースト１１１が、Ｐｂフリー系のＳｎ−Ａｇ−Ｃｕ合金のはんだ粉末を含むとともに、フラックスのベース樹脂としてロジン樹脂（松脂）を含む。
【００５１】
このスクリーン印刷では、スクリーンとしてのメタルマスク１１４の開口部１１４ａ（図６参照）が、対応する第１ランド２１の上面２１ｂの外形輪郭とほぼ同一の開口形状を有するとともに、上面２１ｂの面積よりも若干大きい開口面積を有するものを用いる。
【００５２】
ところで、第１ランド２１の側面２１ａとソルダーレジスト３０の開口部３１の側壁面３１ａとの対向領域に充填部材４０を有さず、該対向領域が空隙のプリント基板１００を用いる場合、図６（ａ）に示すように、図示しないスキージを操作することで、メタルマスク１１４の開口部１１４ａを通過したはんだペースト１１１は、プリント基板１００のうち、第１ランド２１の上面２１ｂのみに接触する。このため、絶縁基材１０の一面１０ａ上に配置したメタルマスク１１４を一面１０ａから離反させる、すなわち版離れさせる際に、図６（ｂ）に示すように、第１ランド２１上に残るべきはんだペースト１１１の一部が、メタルマスク１１４側に持っていかれ、第１ランド２１上に位置するはんだペースト１１１の塗布量がばらついてしまう。なお、図６（ｂ）では、第１ランド２１上のはんだペースト１１１がツノ形状を有しており、その厚さが面内で不均一となっている。
【００５３】
特に本実施形態に示すように、大電流化、高放熱化対応のため、第１ランド２１の厚さが厚いと、はんだペースト１１１が、第１ランド２１の周囲に位置する絶縁基材１０の一面１０ａまで届きにくく（一面１０ａに接触しにくく）、このような不具合が生じる。
【００５４】
これに対し、本実施形態では、第１ランド２１の側面２１ａとソルダーレジスト３０の開口部３１の側壁面３１ａとの対向領域に、充填部材４０を設けている。より詳しくは、充填部材４０の上面４０ａを、第１ランド２１の上面２１ｂと略面一としている。このため、スクリーン印刷時において、図５（ａ）に示すように、はんだペースト１１１が、第１ランド２１の上面２１ｂだけでなく、上面２１ｂの周辺に位置する充填部材４０の上面４０ａにも接触する。すなわち、はんだペースト１１１とプリント基板１００との接触面積を、充填部材４０を有さない構成に較べて、大きくすることができる。特に、メタルマスク１１４の版離れ方向（厚さ方向にそう方向）に対して略垂直な接触面積を大きくすることができる。したがって、第１ランド２１上へのはんだペースト１１１の塗布量のばらつきを抑制することができる。換言すれば、図５（ａ）に示すように、第１ランド２１上に、その厚さが面内でほぼ均一なはんだペースト１１１を配置することができる。
【００５５】
上記はんだペースト１１１の塗布後、図５（ｂ）に示すように、電子部品１１２を絶縁基材１０の一面１０ａ上に位置決め載置する。具体的には、電子部品１１２の端子が、対応する第１ランド２１の直上に位置して、第１ランド２１上のはんだペースト１１１に接触するように電子部品１１２を配置する。そして、この状態で、リフローを行う。リフローの温度は２００〜３００℃程度である。このリフローにより、はんだペースト１１１は加熱され、フラックスを構成する溶剤が気化するとともに、ベース樹脂であるロジン樹脂が溶融する。このロジン樹脂により、第１ランド２１の表面と、はんだペースト１１１中のはんだ粉末の表面とに形成された酸化膜が除去されるとともに、これら表面に酸化膜が新たに形成されるのが抑制される。また、リフローの加熱により、はんだ粉末が溶融してなる溶融はんだは、溶融状態にあるロジン樹脂よりも第１ランド２１の表面に対する濡れ性に優れるため、ロジン樹脂を押しのけて、第１ランド２１の表面を濡れ広がる。換言すれば、溶融状態にあるロジン樹脂のほうが、溶融はんだよりも、第１ランド２１の表面に対する濡れ性が低いため、ロジン樹脂を押しのけて、第１ランド２１の表面を濡れ広がる。
【００５６】
ところで、図７に示すソルダーレジスト３０のようにリフローによって溶融しない部材が、第１ランド２１の側面２１ａ全域に隣接して形成される場合、上記した溶融はんだは、第１ランド２１の表面のうち、上面２１ｂのみを濡れ広がる。このため、冷却固化した状態（溶融はんだを構成する金属同士が金属結合を形成した焼結状態）で、はんだ１１３は、第１ランド２１の上面２１ｂのみと接続（接合）する。なお、図７に示す符号１１３ｂは、ロジン樹脂などが含まれるフラックス残渣である。
【００５７】
これに対し、本実施形態では、リフローにより、充填部材４０を構成するロジン樹脂も溶融し、液状となる。なお、充填部材４０に溶剤が残存している場合には、このリフローにより気化する。上記したように、溶融状態にあるロジン樹脂のほうが、溶融はんだよりも、第１ランド２１の表面に対する濡れ性が低いため、上記したはんだ粉末が溶融してなる溶融はんだは、固形状の状態で充填部材４０を構成していた溶融状態にあるロジン樹脂を押しのけて、第１ランド２１の側面２１ａにも濡れ広がる。このため、冷却固化した状態で、はんだ１１３は、第１ランド２１の上面２１ｂの全域及び側面２１ａの全域と接続（接合）する。すなわち、第１ランド２１の側面２１ａ全域、より詳しくは、対向領域をなす側面２１ａの部分の全域にサイドフィレット１１３ａが形成される。したがって、リフローにより溶融しない部材を第１ランド２１の側面２１ａに隣接させる構成に較べて、第１ランド２１に対するはんだ１１３の接続面積を増大させ、これにより、はんだ１１３の接続信頼性（はんだ寿命）を向上することができる。
【００５８】
なお、本実施形態では、はんだペースト１１１中のフラックスと、充填部材４０を構成する樹脂が、いずれも溶融状態で、第１ランド２１の側面２１ａから遠ざかるほうに流動し、互いに混じり合う。そして、はんだ１１３の周辺で、フラックス残渣１１３ｂを形成する。本実施形態では、充填部材４０を構成する樹脂材料を、はんだペースト１１１に含まれるフラックスの樹脂と同一としているため、フラックス残渣１１３ｂの特性を所望の特性としやすいという利点がある。例えば、フラックス残渣１１３ｂの割れを抑制すべく、フラックス残渣１１３ｂに柔軟性を持たせるために、はんだペースト１１１を構成するフラックス成分の樹脂を、例えばロジン樹脂と、該ロジン樹脂よりも軟らかいアクリル系樹脂とを所定の比率（例えば１：２）で混合してなるものとする。充填部材４０を構成する樹脂を、はんだペースト１１１を構成するフラックス成分の樹脂と同一とすると、充填部材４０を構成する樹脂ペースト４０ｂの充填量がばらついても、フラックス残渣１１３ｂ中の混合樹脂の比率は充填量によって変化せず、一定である。したがって、フラックス残渣１１３ｂの特性を所望の特性としやすい。
【００５９】
また、本実施形態では、充填部材４０を構成する樹脂が、第１ランド２１の表面の酸化膜と、はんだペースト１１１に含まれるはんだ粉末表面の酸化膜とを除去する清浄作用を有する。このため、充填部材４０の清浄作用により、第１ランド２１の表面（側面２１ａを、溶融はんだが濡れ広がりやすい。このように、はんだの濡れ性を、充填部材４０にて補助する構成とすると、清浄作用を有さない充填部材４０を用いる構成に較べて、第１ランド２１の側面２１ａ全域に、はんだ１１３のサイドフィレット１１３ａを形成しやすくすることができる。
【００６０】
また、本実施形態では、端子ピッチの微細な電子部品１１２が実装されるランドが、充填部材４０が隣接配置される第１ランド２１となっている。このため、第１ランド２１に対応するメタルマスク１１４の開口部１１４ａのアスペクト比（開口面積に対する開口側壁面積）は、他のランド２０に対応する開口部のアスペクト比に較べて大きい。これにより、特に第１ランド２１において、はんだペースト１１１の塗布量ばらつきが大きい。しかしながら、本実施形態によれば、充填部材４０の効果により、このような第１ランド２１に対しても、はんだペースト１１１の塗布量ばらつきを抑制することができる。
【００６１】
（変形例）
第１ランド２１の側面２１ａと、ソルダーレジスト３０の開口部３１の側壁面３１ａとの対向領域に配置される充填部材４０の高さは、上記実施形態の高さに限定されるものではない。対向領域に少なからず充填部材４０が配置されると、配置されない構成に較べて、はんだペースト１１１が、プリント基板１００における第１ランド２１以外の部分と接触しやすくなる。これにより、はんだペースト１１１とプリント基板１００との接触面積を大きくすることができる。しかしながら、充填部材４０の高さが、第１ランド２１の上面２１ｂの高さに近いほど、はんだペースト１１１の塗布量のばらつきを、より効果的に抑制することができる。なお、充填部材４０の上面４０ａが第１ランド２１の上面２１ｂに対して高くなり、メタルマスク１１４が充填部材４０に支持された状態となると、第１ランド２１の近傍に位置する第２ランド２２とメタルマスク１１４との隙間が広くなり、第２ランド２２に、にじみ等の印刷不良が生じやすくなる。したがって、充填部材４０の上面４０ａを、配線２３を覆う高背部３３の上面３３ａ以下の高さとすることが好ましい。
【００６２】
上記実施形態では、充填部材４０を構成する樹脂材料として、はんだペースト１１１に含まれるフラックスの樹脂と同一の樹脂を用いて形成される例を示した。しかしながら、はんだペースト１１１に含まれるフラックスの樹脂と異なる樹脂を用いても良い。樹脂材料としては、少なくともリフロー時に溶融し、これにより、溶融はんだを第１ランド２１の側面２１ａに接触させることができるものであれば良い。また、はんだペースト１１１に含まれるフラックスの樹脂と異なり、且つ、第１ランド２１の表面の酸化膜と、はんだペースト１１１に含まれるはんだ粉末表面の酸化膜とを除去する清浄作用を有する樹脂を採用しても良い。
【００６３】
上記実施形態では、複数のランド２０の一部のみ（第１ランド２１のみ）、充填部材４０を隣接して設ける例を示した。しかしながら、ノーマルレジスト構造のランド２０であれば、上記構成を採用することができる。
【００６４】
上記実施形態では、第１ランド２１の側面２１ａと、該ランド２１を取り囲む開口部３１の側壁面３１ａとの間に形成される対向領域の形状について特に言及せず、図３では、垂直方向に沿う対向領域の平面形状が環状の例を示した。しかしながら、図８に示すように、第１ランド２１が、絶縁基材１０の一面１０ａに位置する配線２３と接続される構成では、対向領域が環状とはならず、略Ｃ字状となる。このような略Ｃ字状の対向領域についても、充填部材４０を配置することで、環状の対向領域に配置した上記充填部材４０と同等の効果を奏することができる。この場合、第１ランド２１の側面２１ａのうち、略Ｃ字状の対向領域をなす側面２１ａの部分の全域にサイドフィレット１１３ａが形成される。すなわち、第１ランド２１の側面２１ａのうち、配線２３との接続された部分を除く部分の全域にサイドフィレット１１３ａが形成される。
【００６５】
上記実施形態では、絶縁基材１０の一面１０ａのみにランド２０が形成される例を示した。しかしながら、一面１０ａのみでなく、一面１０ａと反対の裏面１０ｂにもランド２０が形成された構成、すなわちプリント基板１００の両面にランド２０を有する構成としても良い。ただし、両面のランド２０に電子部品１１２がそれぞれリフローはんだ付けされ、且つ、図９（ａ）に示すように、第１ランド２１及び充填部材４０が形成された一面１０ａを２ｎｄリフロー面、第２ランド２２が形成された裏面１０ｂを１ｓｔリフロー面とする場合、以下の不具合が生じる虞がある。リフローする際には、両面側からプリント基板１００にリフロー熱が印加される。このため、裏面１０ｂの第２ランド２２に電子部品１１２をリフローはんだ付けする際、加熱により、一面１０ａ側に形成された充填部材４０中に残存する溶剤が気化し、図９（ｂ）に示すように、充填部材４０の高さが減少（膜減り）する。したがって、プリント基板１００の形成時に、第１ランド２１の上面２１ｂと充填部材４０の上面４０ａとの高さを合わせ込んでおいても、上記膜減りにより、段差が生じることとなる。このため、裏面１０ｂに次いで、一面１０ａの第１ランド２１に、スクリーン印刷によりはんだペースト１１１を塗布する際に、はんだペースト１１１の塗布量ばらつき抑制の効果が低減する虞がある。
【００６６】
したがって、プリント基板１００の両面にランド２０を有し、且つ、片面のみに第１ランド２１（及び充填部材４０）が形成される構成では、第１ランド２１の形成面を１ｓｔリフロー面とすると良い。一方、第１ランド２１の形成面を２ｎｄリフロー面としなければならない場合には、樹脂ペースト４０ｂを形成する際に用いる溶剤として、リフロー時に気化する範囲で、より沸点の高いものを用いると良い。また、樹脂ペースト４０ｂ中における溶剤の混合比率を低くする（溶剤に対して樹脂の比率を高くする）ことによっても、膜減りを抑制することができる。
【００６７】
（第２実施形態）
本実施形態において、第１実施形態に示したプリント基板１００及びその製造方法と共通する部分についての説明は割愛する。第１実施形態では、樹脂を用いて充填部材４０が形成される例を示した。
【００６８】
これに対し、本実施形態では、図１０に示すように、はんだペーストを用いて充填部材４２が形成される点を特徴とする。充填部材４２と第１実施形態に示した充填部材４０との相違点は、構成材料のみであり、充填部材４０の構成を、充填部材４２にも適用することができる。
【００６９】
なお、図１０に示す例では、充填部材４２の上面４２ａが、第１ランド２１の上面２１ｂと略面一（ほぼ同じ高さ）となっている。また、充填部材４２も、プリント基板１００の状態で、固形状となっている。このような固形状の充填部材４２とは、はんだペースト中の溶剤が少なからず気化されて、充填部材４２の少なくとも上面４２ａが乾燥し、これにより上面４２ａの皮膜強度が高まった状態を指す。もちろん、はんだペーストの溶剤を完全に気化させ、充填部材４２を、溶剤のない状態としても良い。本実施形態では、充填部材４２を構成するはんだペーストが、リフローはんだ付けする際のはんだペースト１１１と同一の構成となっている。すなわち、はんだ粉末及びフラックスの構成が同一であり、Ｓｎ−Ａｇ−Ｃｕ合金のはんだ粉末を含むとともに、フラックスのベース樹脂としてロジン樹脂を含む。
【００７０】
次に、本実施形態に係るプリント基板１００において、充填部材４２を設けたことによる効果を説明する。充填部材４２を設けた効果は、基本的に充填部材４０を設けた効果と同じである。相違点は、リフローによって溶融することで、第１ランド２１の側面２１ａ全域に、はんだ１１３のサイドフィレット１１３ａを形成できる作用の部分である。以下、相違点について説明する。
【００７１】
本実施形態では、リフローにより、充填部材４２を構成するはんだ粉末と、ロジン樹脂がともに溶融する。また、充填部材４２由来の溶融はんだは、少なくとも充填部材４２由来のロジン樹脂を押しのけて、第１ランド２１の表面（少なくとも側面２１ａ）に濡れ広がる。一方、はんだペースト１１１中のはんだ粉末及びロジン樹脂も、リフローにより溶融し、はんだペースト１１１由来の溶融はんだは、少なくともはんだペースト１１１由来のロジン樹脂を押しのけて、第１ランド２１の表面（少なくとも上面２１ｂ）に濡れ広がる。このため、冷却固化した状態で、はんだ１１３は、第１ランド２１の上面２１ｂの全域及び側面２１ａの全域と接続（接合）する。すなわち、第１ランド２１の側面２１ａ全域にサイドフィレット１１３ａが形成される。したがって、リフローにより溶融しない部材を第１ランド２１の側面２１ａに隣接させる構成に較べて、第１ランド２１に対するはんだ１１３の接続面積を増大させ、これにより、はんだ１１３の接続信頼性（はんだ寿命）を向上することができる。
【００７２】
特に本実施形態では、はんだペースト１１１とは別に、充填部材４２として、はんだペーストを乾燥させたものを配置しておくため、スクリーン印刷時に仮にはんだペースト１１１の塗布量が不足したとしても、第１ランド２１ｂの側面２１ａ全域に、はんだ１１３のサイドフィレット１１３ａを形成することができる。
【００７３】
充填部材４２を構成するはんだペーストとしては、はんだ粉末を溶剤にて所定粘度に調整したもの、すなわちベース樹脂など溶剤以外のフラックス成分を有さないものを採用することもできる。
【００７４】
以上、本発明の好ましい実施形態について説明したが、本発明は上述した実施形態になんら制限されることなく、本発明の主旨を逸脱しない範囲において、種々変形して実施することが可能である。
【符号の説明】
【００７５】
１０・・・絶縁基材
１０ａ・・・一面
２０・・・ランド
２１・・・第１ランド
２１ａ・・・側面
２１ｂ・・・上面
３０・・・ソルダーレジスト
３１・・・開口部
３１ａ・・・側壁面
４０，４２・・・充填部材
４０ａ，４２ａ・・・上面
４０ｂ・・・樹脂ペースト
１００・・・プリント基板
１１１・・・はんだペースト
１１３・・・はんだ
１１３ａ・・・サイドフィレット
【図１】
2013055208.tif 000003
【図２】
2013055208.tif 000004
【図３】
2013055208.tif 000005
【図４】
2013055208.tif 000006
【図５】
2013055208.tif 000007
【図６】
2013055208.tif 000008
【図７】
2013055208.tif 000009
【図８】
2013055208.tif 000010
【図９】
2013055208.tif 000011
【図１０】
2013055208.tif 000012